(57)【特許請求の範囲】
【請求項１】
予め電話番号を記憶する記憶部と、
他の電話機からの着信を受ける受信部と、
少なくとも２色の発光が可能な発光部と、
前記受信部への前記着信に対して、呼出音を鳴らすか否かと前記発光部の発光色とを制御する制御部と、
前記他の電話機との通話を開始させる応答部とを備え、
前記制御部は、前記着信が前記記憶部に記憶された電話番号からのものの場合及び前記他の電話機に暗証番号の入力を求めて正しい前記暗証番号が入力された場合に、前記呼出音を鳴らし前記発光部を第１の発光色群に含まれる色で発光させ、前記着信が前記記憶部に記憶された電話番号からのものでなく、かつ、前記他の電話機に暗証番号の入力を求めて正しい前記暗証番号が入力されない場合に、前記呼出音を鳴らし前記発光部を第２の発光色群に含まれる色で発光させ、
前記応答部は、前記発光部が前記第２の発光色群に含まれる色で発光している場合には、固定電話機に暗証番号の入力を求めて正しい前記暗証番号が入力された場合にのみ前記通話を開始させることを特徴とする固定電話機。
【請求項２】
前記制御部は、前記発光部を前記第２の発光色群に含まれる色で発光させる際に、発光を点滅させることを特徴とする、請求項１に記載の固定電話機。
【請求項３】
予め電話番号を記憶する記憶部と、
他の電話機からの着信を受ける受信部と、
少なくとも２色の発光が可能な発光部と、
前記受信部への前記着信に対して、呼出音を鳴らすか否かと前記発光部の発光色とを制御する制御部とを備え、
前記制御部は、前記着信が前記記憶部に記憶された電話番号からのものの場合及び前記他の電話機に暗証番号の入力を求めて正しい前記暗証番号が入力された場合に、前記呼出音を鳴らし前記発光部を第１の発光色群に含まれる色で発光させ、前記着信が前記記憶部に記憶された電話番号からのものでなく、かつ、前記他の電話機に暗証番号の入力を求めて正しい前記暗証番号が入力された場合に、前記記憶部に前記他の電話機の電話番号を追加して記憶させることを特徴とする固定電話機。
【請求項４】
前記制御部は、前記着信が前記記憶部に記憶された電話番号からのものでなく、かつ、前記他の電話機に暗証番号の入力を求めて正しい前記暗証番号が入力された場合に、前記呼出音を鳴らし前記発光部を第１の発光色群に含まれる色で発光させることを特徴とする、請求項３に記載の固定電話機。
【請求項５】
前記制御部は、前記着信が前記記憶部に記憶された電話番号からのものでなく、かつ、前記他の電話機に暗証番号の入力を求めて正しい前記暗証番号が入力されない場合に、前記呼出音を鳴らさないことを特徴とする、請求項３に記載の固定電話機。
【請求項６】
前記制御部は、前記着信が前記記憶部に記憶された電話番号からのものでなく、かつ、前記他の電話機に暗証番号の入力を求めて正しい前記暗証番号が入力されない場合に、前記呼出音を鳴らし前記発光部を第２の発光色群に含まれる色で発光させることを特徴とする、請求項３に記載の固定電話機。
【請求項７】
前記制御部は、前記発光部を前記第２の発光色群に含まれる色で発光させる際に、発光を点滅させることを特徴とする、請求項６に記載の固定電話機。
【請求項８】
前記固定電話機と前記他の電話機との通話を開始させる応答部を備え、
前記応答部は、前記発光部が前記第２の発光色群に含まれる色で発光している場合には、前記固定電話機に暗証番号の入力を求めて正しい前記暗証番号が入力された場合にのみ前記通話を開始させることを特徴とする、請求項６又は７に記載の固定電話機。
【発明の詳細な説明】
【技術分野】
【０００１】
本発明は、固定電話機、特に悪意の発信者からの着信に対して応答しない固定電話機に関する。
【背景技術】
【０００２】
近年、「オレオレ詐欺」、「振り込め詐欺」などと呼ばれる詐欺を目的とした電話（以下、「詐欺電話」と言う。）が多い。必ずしも十分な判断能力を有していない可能性のある者（多くは老人）の自宅に電話をかけ、親族等になりすまして金銭を詐取するものである。
【０００３】
受信する者が十分な判断能力を有していないことを前提として考えれば、詐欺電話に係る着信については、受信できないようにすること、又は受信前に十分な注意を喚起することが好ましい。
【０００４】
この点、特許文献１には、予め電話番号の登録された特定人からの着信と他の着信とで発光部の発光色を相違させる電話機が開示されている。詐欺電話は特定人からの着信ではないので、発光色によって注意が喚起される。
【０００５】
しかし、特許文献１に開示の方法は、受信をしないようにできるものではなく、また、発光色が正しく認知できない可能性もあり、詐欺電話の対策としては不十分であった。また、特定人が予め電話番号の登録された電話以外の電話から発信した場合に、特定人であることを通知することができなかった。
【先行技術文献】
【特許文献】
【０００６】
【特許文献１】特開平１１−１３６３１９号公報
【発明の概要】
【発明が解決しようとする課題】
【０００７】
本発明は、応答者の判断力が十分でない場合であっても悪意の発信者からの着信に対して応答しないことが容易である固定電話機を提供することを課題とする。
【課題を解決するための手段】
【０００８】
本発明の固定電話機は、
予め電話番号を記憶する記憶部と、
他の電話機からの着信を受ける受信部と、
少なくとも２色の発光が可能な発光部と、
前記受信部への前記着信に対して、呼出音を鳴らすか否かと前記発光部の発光色とを制御する制御部とを備え、
前記制御部は、前記着信が前記記憶部に記憶された電話番号からのものの場合及び前記他の電話機に暗証番号の入力を求めて正しい前記暗証番号が入力された場合に、前記呼出音を鳴らし前記発光部を第１の発光色群に含まれる色で発光させることを特徴とする。
【０００９】
記憶部に記憶された電話番号からの着信（正当発信者からの着信）について、呼出音を鳴らすと共に、第１の発光色群に含まれる色によって正当発信者からの着信であることを伝える。
【００１０】
本発明の固定電話機は、
前記制御部は、前記着信が前記記憶部に記憶された電話番号からのものでなく、かつ、前記他の電話機に暗証番号の入力を求めて正しい前記暗証番号が入力された場合に、前記呼出音を鳴らし前記発光部を第１の発光色群に含まれる色で発光させることを特徴とする、
【００１１】
記憶部に記憶された電話番号からの着信でなくとも、信頼できる者からの着信である場合がある。例えば、家族の者が公衆電話から発信した場合である。かかる場合に、暗証番号の入力によって信頼できる者からの着信であるか否かを判定する。
【００１２】
本発明の固定電話機は、
前記制御部は、前記着信が前記記憶部に記憶された電話番号からのものでなく、かつ、前記他の電話機に暗証番号の入力を求めて正しい前記暗証番号が入力されない場合に、前記呼出音を鳴らさないことを特徴とする。
【００１３】
信頼できる者からの着信でない場合には、呼出音を鳴らさないことによって、受信しないようにする。
【００１４】
本発明の固定電話機は、
前記制御部は、前記着信が前記記憶部に記憶された電話番号からのものでなく、かつ、前記他の電話機に暗証番号の入力を求めて正しい前記暗証番号が入力されない場合に、前記呼出音を鳴らし前記発光部を第２の発光色群に含まれる色で発光させることを特徴とする。
【００１５】
信頼できる者からの着信でない場合であっても、受信したいときもあり得る。呼出音を鳴らし、受信を可能とするが、第２の発光色群に含まれる色によって正当発信者からの着信ではないことを伝える。
【００１６】
本発明の固定電話機は、
前記制御部は、前記発光部を前記第２の発光色群に含まれる色で発光させる際に、発光を点滅させることを特徴とする。
【００１７】
点滅によって、より強く注意を喚起する。
【００１８】
本発明の固定電話機は、
前記固定電話機と前記他の電話機との通話を開始させる応答部を備え、
前記応答部は、前記発光部が前記第２の発光色群に含まれる色で発光している場合には、前記固定電話機に暗証番号の入力を求めて正しい前記暗証番号が入力された場合にのみ前記通話を開始させることを特徴とする。
【００１９】
信頼できる者からの着信でない場合であっても受信する者を、暗証番号を知っている者に限定する。十分な判断能力を有していない者が受信せず、十分な判断能力を有している者のみが受信することができる。
【００２０】
本発明の固定電話機は、
前記制御部は、前記着信が前記記憶部に記憶された電話番号からのものでなく、かつ、前記他の電話機に暗証番号の入力を求めて正しい前記暗証番号が入力された場合に、前記記憶部に前記他の電話機の電話番号を追加して記憶させることを特徴とする。
【００２１】
信頼できる者が一度だけ暗証番号を入力すれば、二度目からは暗証番号の入力が不要となる。
【００２２】
本発明の固定電話機は、
前記発光部の形状は、直径５ｃｍの円を含むことを特徴とする。
【００２３】
発光する色によって注意を喚起するには、発光部が大きいことが好ましい。いずれの方向にも５ｃｍ以上の長さとするものである。
【発明の効果】
【００２４】
本発明の固定電話によれば、応答者の判断力が十分でない場合であっても悪意の発信者からの着信に対して応答しないことが容易である。
【図面の簡単な説明】
【００２５】
【図１】図１は、固定電話機を示す図である。
【図２】図２は、各部の関連を示す図である。
【図３】図３は、処理手順を示す図である。
【発明を実施するための形態】
【００２６】
本発明の一実施形態について説明する。
【００２７】
図１は、固定電話機を示す図である。固定電話機１には、持上げて通話を行うハンドセット５及び発光部７が備えられている。
【００２８】
発光部７は、十分にその全面が発光する。本実施形態では、一例として縦６ｃｍ、横８ｃｍの長方形である。発光される色が確実に認識されるため、発光部７は面積が大きく、細長くないことものが好ましい。直径５ｃｍの円を含む形状であることが特に好ましい。
【００２９】
図２は、各部の関連を示す図である。固定電話機１には、受信部２、制御部３、応答部４、ハンドセット５、記憶部６、発光部７及び呼出部８が設けられている。
【００３０】
外部から着信した電話は、受信部２によって受信され、制御部３及び応答部４を介してハンドセット５に接続される。ユーザは、ハンドセット５を用いて通話をすることができる。ただし、制御部３及び応答部４は、通話を認めないことができる。
【００３１】
制御部３は、記憶部６に予め記憶された電話番号と、着信した電話の番号（受信部２から受け取る）とを照合し、その結果に応じて発光部７及び呼出部８を制御する。また、応答部４による通話開始の可否も制御する。
【００３２】
図３は、処理手順を示す図である。以下、図３を用いて本発明の固定電話機１の動作を説明する。
【００３３】
受信部２が外部からの着信を受けると、制御部３の動作が開始される。その際、着信した電話の番号が制御部３に渡される。
【００３４】
制御部３は、着信した電話の番号が記憶部６に記憶された番号であるか否かを確認し（ステップＳ１）、記憶された番号であれば発光部７を緑色で発光し、呼出部８により呼出音を鳴らす（ステップＳ２）。
【００３５】
記憶された番号でない場合、制御部３は着信した電話に暗証番号の入力を要求する。正しい暗証番号が入力された場合には、発光部７を緑色で発光し、呼出部８により呼出音を鳴らす（ステップＳ２）。すなわち、記憶部６に記憶された番号からの受信と同様に処理する。
【００３６】
以上、記憶された番号である場合、正しい暗証番号が入力された場合のいずれかの場合においては、ハンドセットを持ち上げることで、回線が接続され、通話をすることができる。
【００３７】
親族等が記憶部６に記憶された番号の電話以外の電話からかけた場合にも、問題なく通話をすることができる。その際、発信番号（着信した電話の番号）を記憶部６に追加してもよい。親族等が同じ電話から繰り返しかける場合に暗証番号の再入力を不要とするものである。なお、図において、「○」及び「◎」は、必ずしも実装せずともよいオプションの機能を表す。
【００３８】
記憶された番号でなく、かつ、正しい暗証番号が入力されない場合の処理を、以下に示す。この場合は、信頼できる者からの着信でないと考えられ、通話をさせないこと、また、通話をさせる場合には注意を喚起することが重要である。
【００３９】
信頼できる者からの着信でないと考えられる場合に、通話をさせないことが考えられる。この場合は、呼出音を鳴らさなければよい。図において、「＊」で示した分岐において、Ｎのほうに分岐させる。呼出音を鳴らさずに回線を切断する。なお、「＊」で示した分岐は、着信時における判断の結果に基づいて分岐するものではなく、予め設定されるものである。
【００４０】
呼出音を鳴らす設定の場合には、「＊」で示した分岐をＹのほうに分岐し、発光部７を赤色で発光し、呼出部８により呼出音を鳴らす。発光部７を赤色に発光させることで、信頼できる者からの着信でないと考えられることを伝える。
【００４１】
ここでハンドセットが持ち上げられた場合については、応答部４による処理として、２通りの処理が考えられる。１つは、回線を接続し、通話をさせることである。図における「◎」の機能が実装されていないものである。発光部７を赤色に発光させて注意が喚起されており、信頼できる者からの着信でないことを承知して通話することができる。 
【００４２】
もう１つの処理は、図における「◎」の機能を実装するものである。ハンドセットが持ち上げられると暗証番号を要求し、正しい暗証番号が入力された場合にのみ通話をさせる。固定電話による通話をする者が複数（例えば家族の全員）いる場合に、その中で十分な判断力のある者のみが通話することができる。 
【００４３】
以上詳細に説明したように、本発明の固定電話機によれば、記憶された番号である場合、正しい暗証番号が入力された場合のいずれかの場合にのみ通話をさせ、他の場合には通話をさせないことが可能となる。他の場合であっても、発明の実装の形態により、以下のようにして通話をさせることが可能である。（１）発光色によって注意を喚起し、承知の上での通話をさせる。（２）暗証番号の入力を求め、正しい暗証番号が入力された場合にのみ通話をさせる。 
【００４４】
実施例においては、信頼できる者からの着信の際の発光色を緑色、その他の着信の際の発光色を赤色としたが、他の色を用いてもよい。また、信頼できる者からの着信及びその他の着信のそれぞれについて、複数の発光色を使い分けてもよい。例えば、信頼できる者からの着信について、記憶部６に番号に加えて番号別の発光色を記憶し、家族からの着信を青色、その他の信頼できる者からの着信を緑色で発光することができる。また、その他の着信について、番号が通知された着信を黄色、番号が通知されない着信を赤色で発光することができる。なお、青色、緑色には安全なイメージが、赤色、黄色には危険なイメージがあるので、信頼できる者からの着信の際の発光色を波長０．４３〜０．５２μｍの色、その他の着信の際の発光色を波長０．５２〜０．７８μｍの色とすることが好ましい。 
【００４５】
実施例においては、ユーザが通話するためにハンドセット５を持ち上げることとしていたが、他の操作であってもよい。例えば、固定電話機１に通話開始のためのボタンを設け、そのボタンを押下することとしてもよい。 
【産業上の利用可能性】
【００４６】
応答者の判断力が十分でない場合であっても悪意の発信者からの着信に対して応答しないことが容易な固定電話機であり、多くの家庭における利用が期待される。 
【符号の説明】
【００４７】
１    固定電話機 
２    受信部 
３    制御部 
４    応答部 
５    ハンドセット 
６    記憶部 
７    発光部 
８    呼出部 
【要約】
【課題】応答者の判断力が十分でない場合であっても悪意の発信者からの着信に対して応答しないことが容易である固定電話機を提供すること。
【解決手段】予め電話番号を記憶する記憶部と、他の電話機からの着信を受ける受信部と、少なくとも２色の発光が可能な発光部と、着信に対して呼出音を鳴らすか否かと前記発光部の発光色とを制御する制御部とを備え、制御部は、記憶部に記憶された電話番号以外の電話からの着信に対し、呼出音を鳴らさない、もしくは、発光色を変更する。
【選択図】図２【図１】
0005575974.tif 000002
【図２】
0005575974.tif 000003
【図３】
0005575974.tif 000004